(57)【特許請求の範囲】
【請求項１】
サラウンド回路を有する２チャンネル入出力の音声信号制御装置であって、
各チャンネルに介装されて音声信号周波数帯域の中域を低域と高域に比べて高ゲインで出力するバンドパスオン状態と低域から高域にかけて周波数特性が平坦なバンドパスオフ状態に切り換えが可能な２個のバンドパス回路と、
前記２個のバンドパス回路の出力を入力しサラウンド効果をオン状態とオフ状態に切り換えが可能で２チャンネルの出力を得るサラウンド回路と、
前記サラウンド回路と前記バンドパス回路とを連動して同時にオン状態またはオフ状態に切り換える制御部と
を設けた音声信号制御装置。
【請求項２】
サラウンド回路を有する２チャンネル入出力の音声信号制御装置であって、
各チャンネルに介装されて音声信号周波数帯域の中域を低域と高域に比べて低ゲインで出力するバンドパスオン状態と低域から高域にかけて周波数特性が平坦なバンドパスオフ状態に切り換えが可能な２個のバンドパス回路と、
前記２個のバンドパス回路の出力を入力しサラウンド効果をオン状態とオフ状態に切り換えが可能で２チャンネルの出力を得るサラウンド回路と、
前記サラウンド回路を経由した各チャンネルの出力に接続されて電気−音響変換するとともに中域を低域と高域に比べて高能率で電気−音響変換する２個のスピーカと、
前記サラウンド回路と前記バンドパス回路を連動して前記バンドパス回路のオン状態では前記サラウンド回路のオフ状態に前記バンドパス回路のオフ状態では前記サラウンド回路のオン状態に切り換える制御部と
を設けた音声信号制御装置。
【請求項３】
音声信号周波数帯域の中域を４００Ｈｚ〜７ｋＨｚの帯域に設定した
請求項１または請求項２記載の音声信号制御装置。
【請求項４】
請求項１または請求項２記載の音声信号制御装置を有し、ビデオデータと共にオーディオデータが記録された記録媒体からオーディオデータを再生する再生装置であって、
記録媒体から読み出したオーディオデータを再生して前記音声信号制御装置に入力する再生手段を有し、
前記音声信号制御装置の制御部は、前記再生手段により記録媒体から読み出したオーディオデータに基づいて前記音声信号制御装置のサラウンド回路とバンドパス回路のオン状態とオフ状態を連動して切り換えるように構成した
再生装置。
【請求項５】
前記制御部は、前記オーディオデータが音声圧縮されたマルチチャンネルオーディオデータであることを判別した場合に、前記サラウンド回路と前記バンドパス回路のオン状態とオフ状態を連動して切り換え、
中域の再生レベルを高くするように構成した
請求項４記載の再生装置。
【請求項６】
マルチチャンネルオーディオデータが、ドルビーデジタル（ＡＣ−３）オーディオデータまたはｄｔｓオーディオデータである
請求項５記載の再生装置。
【請求項７】
記録媒体として少なくともビデオデータと共にマルチチャンネルオーディオデータが記録されたＤＶＤを再生可能な２チャンネルの再生装置であって、
記録媒体のディスクがＤＶＤかそれ以外のディスクであるかを判別するディスク判別手段と、
記録媒体からマルチチャンネルオーディオデータを抽出すると共に原データのチャンネルの数にかかわらず２チャンネルにダウンミックスして出力するデコーダと、
抽出されたマルチチャンネルオーディオデータの種別を判別する判別手段と、
各チャンネルに介装されて音声信号周波数帯域の中域を低域と高域に比べて高ゲインで出力するバンドパスオン状態と低域から高域にかけて周波数特性が平坦なバンドパスオフ状態に切り換えが可能な２個のバンドパス回路と、
前記２個のバンドパス回路の出力を入力しサラウンド効果をオン状態とオフ状態に切り換えが可能で２チャンネルの出力を得るサラウンド回路と、
前記サラウンド回路と前記バンドパス回路とを連動して同時にオン状態またはオフ状態に切り換える制御部とを備え、
前記制御部は、ディスクがＤＶＤディスクであり、かつオーディオデータがマルチチャンネルオーディオデータであることを判別した場合に、前記サラウンド回路と前記バンドパス回路を連動して同時にオン状態に切り換えるように構成した
再生装置。
【発明の詳細な説明】
【０００１】
【発明の属する技術分野】
本発明は、オーディオビジュアル機器における音声信号の音質をコントロールする音声信号制御装置に関するものである。
【０００２】
【従来の技術】
従来、ビジュアルを有するステレオオーディオ機器などにおいては、臨場感を出すためにマトリクスサラウンド回路を設け音声を広げる技術が採用されている。図６はこのマトリクスサラウンド回路１を備えたステレオオーディオ機器を示しており、スイッチ２をオン状態に切り換えると、制御部３が電界効果トランジスタ４をオンさせてサラウンド効果がオン状態になる。５，６はサラウンド効果を加減する抵抗器と直流カット用のコンデンサである。右チャンネルの増幅器７Ｒ，８Ｒ，９Ｒおよびスピーカ１０Ｒの周波数特性はできる限りフラット、左チャンネルの増幅器７Ｌ，８Ｌ，９Ｌおよびスピーカ１０Ｌの周波数特性はできる限りフラットである。
【０００３】
また、登場人物の話す台詞を明瞭にするためにセンタースピーカを用いて人間の声の帯域付近の音声を付加したものがある。また、音声信号において低音域と人間の声の帯域をそれぞれの周波数に合致した通過帯域フィルタを設け、その出力を比較した結果を使ってそれぞれの帯域の音量を制御し、映画ソース等の場面に応じた効果を出しているものがある。
【０００４】
さらに、記録容量が飛躍的に向上したＤＶＤ（Digital Versatile Disc）−Ｖｉｄｅｏが普及し始め、多くの映画タイトルが発売され、このＤＶＤにビデオデータと共に記録されたオーディオデータは、例えばドルビーデジタル（ＡＣ−３）の５．１チャンネルのマルチチャンネルオーディオデータとして音声圧縮して記録されたものがあり、これを再生する場合、通常フロントスピーカＬ，Ｒ、リアスピーカＬ，Ｒ、センタースピーカ、サブウーハスピーカの６台のスピーカにより再生して、映像と共にサラウンド音声を聴取することができるものである。また、このオーディオデータとしては、ドルビーＡＣ−３オーディオデータと同様に５．１チャンネルのマルチチャンネルオーディオデータとして、ＤＶＤに記録されるｄｔｓ（Digital Theater Sistems ）オーディオデータがあるが、その再生の場合も、通常、ドルビーＡＣ−３と同様に行われる。
【０００５】
【発明が解決しようとする課題】
しかし、マトリクスサラウンド回路では、戦闘シーンのある映画などを視聴中に効果音を広げると相対的に台詞の音量が下がって台詞が聞き取りにくくなったり、台詞の音像の定位が画像の奥に引っ込んだ位置になる傾向にある。
また、センタースピーカを付加した機器では、音像の定位がそのセンタースピーカ寄りに移り、画像中の音の発生源の位置と一致せず違和感が生じる。例えば、テレビジョン受像機のキャビネットの上にセンタースピーカを設置した場合には、音像が画像より上方で定位してしまい画像と一致しない。さらに、このセンタースピーカの場合には、センタースピーカやそれを駆動するアンプが必要である。
【０００６】
また、通過帯域フィルタや比較器を使用する機器でも、これらを制御するシステムも必要となり、高価で複雑になる傾向にある。
さらに、映画館での音質は倍音成分が多い傾向にあり、音楽を再生する音質とは異なっているため、音楽再生と映画再生を１台で行える家庭用複合機器の場合には、家庭での再生では映画館の雰囲気を再生できないという問題がある。
【０００７】
さらに、ドルビーＡＣ−３やｄｔｓのオーディオデータの再生には、６台のスピーカを必要とするというものであった。
本発明は、簡単な回路構成とステレオの２スピーカを使用して、ステレオ映画ソースにおいては映画館で得られるような輪郭のはっきりした音声と広がり感のある効果音が得られ、かつ、画像の中央で台詞が定位し画像との位置的な一致を実現し、また、音楽ソースにおいては従来どうりの音質が得られ音声信号制御装置を提供することを目的とする。
【０００８】
また、ドルビーＡＣ−３やｄｔｓのオーディオデータのマルチチャンネルオーディオデータをビデオデータと共に記録したＤＶＤを再生し、５．１チャンネルをダウンミックスして、ステレオの２スピーカを使用して出力する場合であっても、同様に出力することができると共に、マルチチャンネルを判別することによりサラウンド回路とバンドパス回路を自動的にオン状態に切り換えることができる再生装置を提供することを目的とする。
【０００９】
【課題を解決するための手段】
本発明の音声信号制御装置は、２チャンネルの入出力を持ち、音声信号周波数帯域の中域を低域と高域に比べて高ゲインで出力するバンドパスオン状態と低域から高域にかけて周波数特性が平坦なバンドパスオフ状態に切り換えが可能な２個のバンドパス回路と、前記２個のバンドパス回路の出力を入力しサラウンド効果をオン状態とオフ状態に切り換えが可能で２チャンネルの出力を得るサラウンド回路と、前記サラウンド回路と前記バンドパス回路とを連動して同時にオン状態またはオフ状態に切り換える制御部とを設け、前記制御部によりサラウンド状態にしたときは前記バンドパス回路を切り換えて音声信号周波数帯域の中域を低域と高域に比べて高ゲインで出力するよう構成したことを特徴とする。
この本発明によると、簡単な回路構成とステレオの２スピーカをＴＶモニタの両サイドに設置することにより、ステレオ映画ソースにおいては映画館で得られるような輪郭のはっきりした音声と広がり感のある効果音が得られ、かつ、画像の中央で台詞が定位し画像との位置的な一致を実現し、また、音楽ソースにおいては従来どうりの音質が得られる２チャンネルステレオの音声信号制御装置が得られる。
【００１０】
【発明の実施の形態】
本発明の音声信号制御装置は、サラウンド回路を有する２チャンネル入出力の音声信号制御装置であって、各チャンネルに介装されて音声信号周波数帯域の中域を低域と高域に比べて高ゲインで出力するバンドパスオン状態と低域から高域にかけて周波数特性が平坦なバンドパスオフ状態に切り換えが可能な２個のバンドパス回路と、前記２個のバンドパス回路の出力を入力しサラウンド効果をオン状態とオフ状態に切り換えが可能で２チャンネルの出力を得るサラウンド回路と、前記サラウンド回路と前記バンドパス回路とを連動して同時にオン状態またはオフ状態に切り換える制御部とを設けたことを特徴とする。
【００１１】
また、本発明の音声信号制御装置は、サラウンド回路を有する２チャンネル入出力の音声信号制御装置であって、各チャンネルに介装されて音声信号周波数帯域の中域を低域と高域に比べて低ゲインで出力するバンドパスオン状態と低域から高域にかけて周波数特性が平坦なバンドパスオフ状態に切り換えが可能な２個のバンドパス回路と、前記２個のバンドパス回路の出力を入力しサラウンド効果をオン状態とオフ状態に切り換えが可能で２チャンネルの出力を得るサラウンド回路と、前記サラウンド回路を経由した各チャンネルの出力に接続されて電気−音響変換するとともに中域を低域と高域に比べて高能率で電気−音響変換する２個のスピーカと、前記サラウンド回路と前記バンドパス回路を連動して前記バンドパス回路のオン状態では前記サラウンド回路のオフ状態に前記バンドパス回路のオフ状態では前記サラウンド回路のオン状態に切り換える制御部とを設けたことを特徴とする。
【００１２】
具体的には、音声信号周波数帯域の中域を４００Ｈｚ〜７ｋＨｚの帯域に設定したことを特徴とする。
また、本発明の再生装置は、上記の何れかの音声信号制御装置を有し、ビデオデータと共にオーディオデータが記録された記録媒体からオーディオデータを再生する再生装置であって、記録媒体から読み出したオーディオデータを再生して前記音声信号制御装置に入力する再生手段を有し、前記音声信号制御装置の制御部は、前記再生手段により記録媒体から読み出したオーディオデータに基づいて前記音声信号制御装置のサラウンド回路とバンドパス回路のオン状態とオフ状態を連動して切り換えるように構成したことを特徴とする。
【００１３】
また、前記制御部は、前記オーディオデータが音声圧縮されたマルチチャンネルオーディオデータであることを判別した場合に、前記サラウンド回路と前記バンドパス回路のオン状態とオフ状態を連動して切り換え、中域の再生レベルを高くするように構成したことを特徴とする。
また、前記マルチチャンネルオーディオデータが、ドルビーデジタル（ＡＣ−３）オーディオデータまたはｄｔｓオーディオデータであることを特徴とする。
【００１４】
また、本発明の再生装置は、記録媒体として少なくともビデオデータと共にマルチチャンネルオーディオデータが記録されたＤＶＤを再生可能な２チャンネルの再生装置であって、記録媒体のディスクがＤＶＤかそれ以外のディスクであるかを判別するディスク判別手段と、記録媒体からマルチチャンネルオーディオデータを抽出すると共に原データのチャンネルの数にかかわらず２チャンネルにダウンミックスして出力するデコーダと、抽出されたマルチチャンネルオーディオデータの種別を判別する判別手段と、各チャンネルに介装されて音声信号周波数帯域の中域を低域と高域に比べて高ゲインで出力するバンドパスオン状態と低域から高域にかけて周波数特性が平坦なバンドパスオフ状態に切り換えが可能な２個のバンドパス回路と、前記２個のバンドパス回路の出力を入力しサラウンド効果をオン状態とオフ状態に切り換えが可能で２チャンネルの出力を得るサラウンド回路と、前記サラウンド回路と前記バンドパス回路とを連動して同時にオン状態またはオフ状態に切り換える制御部とを備え、前記制御部は、ディスクがＤＶＤディスクであり、かつオーディオデータがマルチチャンネルオーディオデータであることを判別した場合に、前記サラウンド回路と前記バンドパス回路を連動して同時にオン状態に切り換えるように構成したことを特徴とする。
【００１５】
以下、本発明の各実施の形態を図１〜図４に基づいて説明する。
なお、従来例を示す図６と同一の作用をなすものには同一の符号を付けて説明する。
（実施の形態１）
図１は本発明の（実施の形態１）の音声信号制御装置を示す。右チャンネルと左チャンネルの構成は同一であるので、右チャンネルを例に挙げて説明する。
【００１６】
マトリクスサラウンド回路１の前段にはバンドパス回路１１Ｒが設けられている。このバンドパス回路１１Ｒは増幅器７Ｒに、高域カットのための抵抗器とコンデンサからなる第１の帰還回路１２と、低域カットのための抵抗器とコンデンサからなる第２の帰還回路１３とが接続されており、バンドパス特性はトランジスタ１４Ｒのオン／オフで切り換えられる。
【００１７】
図２はバンドパス回路１１Ｒの周波数特性を示す。
トランジスタ１４Ｒをオフしたバンドパスオフ状態では、実線１５で示すように低域から高域にかけて周波数特性が平坦な周波数特性を示し、トランジスタ１４Ｒをオンしたバンドパスオン状態では、破線１６で示すように１ｋＨｚを中心とした中域を低域と高域に比べて＋５ｄＢだけ高ゲインで出力する。
【００１８】
具体的には、バンドパスオン状態では図２に示すように、バンドパスオフ状態の低域から高域にかけて周波数特性が平坦な周波数特性に比べて１ｋＨｚでは５ｄＢだけゲインが上がり、バンドパスオフ状態の平坦な周波数特性から３ｄＢ上昇したゲインを有する帯域幅は下限周波数が４００Ｈｚで、上限周波数が７ｋＨｚであって、このバンドパス回路１１Ｒの周波数特性は４００Ｈｚ〜７ｋＨｚの中域を低域と高域に比べて高ゲインで出力するものと言える。
【００１９】
トランジスタ１４Ｒのオン／オフはサラウンド効果のオン／オフを実行する制御部３によって実行される。
制御部３は次のように構成されている。
通常の音楽信号の再生状態として、スイッチ２をオフ状態にすると、電界効果トランジスタ４がオフ状態になってマトリクスサラウンド回路１のサラウンド効果がオフ状態になるとともに、トランジスタ１４Ｒがオフ状態になってバンドパス回路１１Ｒの周波数特性が実線１５で示す平坦な周波数特性を示す。したがって、増幅器７Ｒに入力された音楽信号は低域〜高域にかけてフラットに増幅されてスピーカ１０Ｒでそのままの周波数特性で音響変換される。
【００２０】
映画ソース等のビジュアル系ステレオ信号の再生時には、スイッチ２をオン状態にすると、電界効果トランジスタ４がオン状態になってマトリクスサラウンド回路１のサラウンド効果がオン状態になるとともに、トランジスタ１４Ｒがオン状態になってバンドパス回路１１Ｒの周波数特性が破線１６で示すように中域だけが５ｄＢだけ高ゲインで出力される。したがって、バンドパス回路１１Ｒにより台詞や映画での戦闘シーンでの爆発や銃弾の音の高調波成分が増加し、映画館のような輪郭のはっきりした音となり、人間の声では左右のスピーカの中央前方に居る聴取者の前方に音像が定位した感じに聞こえ、戦闘シーンでは迫力のある音質になるとともに、マトリクスサラウンド回路１でサラウンド効果がかかるが台詞は画面の奥に引き込まれた位置に音像定位することなく、画像に一致した定位となり前出の聴取者には音場が広がり、爆音やヘリコプタの音に迫力が出る。
【００２１】
このように本実施の形態によれば、簡単な回路構成とステレオの２スピーカをＴＶモニタの両サイドに設置することにより、ステレオ映画ソースにおいては映画館で得られるような輪郭のはっきりした音声と広がり感のある効果音が得られ、かつ、画像の中央で台詞が定位し画像との位置的な一致を実現し、また、音楽ソースにおいては従来どうりの音質が得られるものである。
【００２２】
（実施の形態２）
（実施の形態２）は（実施の形態１）とはスピーカ１０Ｒ，１０Ｌの周波数特性とバンドパス回路１１Ｒ，１１Ｌの周波数特性が異なっている。その他は（実施の形態１）と同一である。
（実施の形態１）のスピーカ１０Ｒ，１０Ｌは周波数特性が低域〜高域にかけてできる限り平坦であることが好ましいが、この（実施の形態２）のスピーカ１０Ｒ，１０Ｌの音響的周波数特性は、図３に破線１７で示すように１ｋＨｚを中心とした中域を低域と高域に比べて高能率で電気−音響変換する。
【００２３】
バンドパス回路１１Ｒ，１１Ｌの周波数特性は、図３に破線１８で示すように１ｋＨｚを中心とした中域を低域と高域に比べて低ゲインで出力するように第１，第２の帰還回路１２，１３のコンデンサと抵抗器の定数が変更されている。
このように構成したため、通常の音楽信号を再生する場合には、制御部３によりトランジスタ１４Ｒをオン、電界効果トランジスタ４をオフ状態にしておく。このとき増幅器７Ｒに入った音楽信号は中域が低域と高域に比べて低ゲインで出力されるが、スピーカ１０Ｒの単品での音響的周波数特性は中域を高能率で音響変換するため、スピーカ１０Ｒから出てくる音響的周波数特性は図３に実線１９で示すように低域から高域にかけて平坦な合成周波数特性となる。
【００２４】
映画ソースなどのビジュアル系ステレオ信号を再生するときには、スイッチ２をオン状態に切り換えて制御部３によりトランジスタ１４Ｒをオフに、電界効果トランジスタ４をオン状態にしておくと、音楽信号は中域が５ｄＢ盛り上がった周波数特性でスピーカ１０Ｒ，１０Ｌより出てくる。
これにより台詞や映画での戦闘シーンでの爆発や銃弾の音の高調波成長が増加し、映画館のような輪郭のはっきりした音となり人間の声では左右のスピーカの中央前方に居る聴取者の前方に定位した感じに聞こえ、戦闘シーンでは迫力のある音質になる。さらにマトリクスサラウンド回路１でサラウンド効果がかかるが台詞は画面の奥に引っ込んだ位置に音像が定位することなしに、画像に一致した定位となり前出の聴収者には音場が広がり、かつ、爆音やヘリコプタの音に迫力が出る。
【００２５】
このように、簡単な回路構成とステレオの２スピーカをＴＶモニタの両サイドに設置することにより、ステレオ映画ソースにおいては映画館で得られるような輪郭のはっきりした音声と広がり感のある効果音が得られ、かつ、画像の中央で台詞が定位し画像との位置的な一致を実現し、また、音楽ソースにおいては従来どうりの音質が得られる。
【００２６】
（実施の形態３）
図４と図５は（実施の形態３）を示す。
この図４は（実施の形態１）の音声信号制御装置を有する記録再生装置である。（実施の形態１）ではスイッチ２は手動操作されたが、この（実施の形態３）ではこのような手動操作を必要としない。
【００２７】
なお、（実施の形態１）と同じものには同一の符号を付けて説明する。
この図４に示す記録再生装置は、記録媒体としてのＤＶＤ、ＶＩＤＥＯ−ＣＤ（以下、ＶＣＤと称す）、ＣＤ−ＤＡなどの光ディスク２０を再生可能な装置である。ＶＣＤとＣＤ−ＤＡとは物理構造が共通のＣＤ規格であり、この両者の総称をＣＤとして説明する。
【００２８】
スピンドルモータ２１で回転駆動されている光ディスク２０に対して、光ピックアップ２２が内蔵した対物レンズを介して前記光ディスク２０の記録面に光を照射し、記録面からの反射光を検出して光ディスク２０に記録されている情報データを読み出す。
光ピックアップ２２の検出信号はＲＦアンプ２３で増幅され、サーボ兼ディスク判別手段２４はＲＦアンプ２３の出力信号から光ディスク２０がＤＶＤであるのかＣＤであるのかを判別し、光ピックアップ２２のフォーカス制御、トラッキングサーボ、スピンドルモータ２１のスピンドルサーボの各制御を行う。
【００２９】
２５はデコーダで、ビデオデコーダ（図示せず）と共にオーディオデコーダ２６を有している。オーディオデコーダ２６はＲＦアンプ２３より入力されたオーディオデータが、マルチチャンネルオーディオデータである場合、ダウンミックスして、Ｌ，Ｒの２チャンネルステレオ信号として出力する。
ここで、デコーダ２５において、前述のディスクの判別でＤＶＤである場合、ビデオデータと共に記録されたオーディオデータの種類が何かを判別するためには、オーディオデコーダ２６に入力されたデータを制御部２７に読み込んで、読み込んだ情報からＤＶＤに記録されている制御情報の識別コードを判別することにより行う。すなわち、ＭＰＥＧ２オーディオデータ、ドルビーＡＣ−３オーディオデータ、ｄｔｓオーディオデータの音声圧縮の記録方式の種別を判別することになる。
【００３０】
オーディオデコーダ２６より２チャンネルにダウンミックスして出力されたＬ，Ｒ各々のチャンネルのデータはバンドパス回路１１Ｒ，１１Ｌに入力される。
バンドパス回路１１Ｒ，１１Ｌは、オーディオデコーダ２６の出力に対し、音声信号周波数帯域の中域を低域と高域に比べて高ゲインで出力するバンドパスオン状態と、低域から高域にかけて平坦な周波数特性で出力するバンドパスオフ状態に切り換え可能なものである。
【００３１】
バンドパス回路１１Ｒ，１１Ｌの出力はマトリクスサラウンド回路１に入力される。マトリクスサラウンド回路１はバンドパス回路１１Ｒ，１１Ｌの出力に対してサラウンド効果をかけて出力するオン状態とサラウンド効果をかけずに出力するオフ状態に切り換え可能に構成されている。
マトリクスサラウンド回路１を介したバンドパス回路１１Ｒの出力は、増幅器９Ｒを介してスピーカ１０Ｒで再生され、マトリクスサラウンド回路１を介したバンドパス回路１１Ｌの出力は、増幅器９Ｌを介してスピーカ１０Ｌで再生される。
【００３２】
前記の制御部２７は、サーボ兼ディスク判別手段２４に対してはディスク判別結果情報を収集すると共に光ディスク２０の再生に関する再生制御を行い、デコーダ２５に対しては前述したように読み込んだ情報からＤＶＤに記録されている制御情報の識別コードを判別することによりオーディオデータの種別を判別し、その記録方式の判別に基づきオーディオデータのデコード方式を設定し、バンドパス回路１１Ｒ，１１Ｌおよびマトリクスサラウンド回路１に対しては後述する制御によりオン・オフを設定し、表示部２８に前記オン・オフ状態を表示する。また制御部２７は、操作部２９の図示しないオンスイッチおよびオフスイッチの押圧情報を収集してバンドパス回路１１Ｒ，１１Ｌおよびマトリクスサラウンド回路１の切り換えを実施するように構成されている。
【００３３】
ここで、光ディスク２０がセットされると、サーボ兼ディスク判別手段２４はスピンドルモータ２１により光ディスク２０を回転させ、光ピックアップ２２により内蔵する対物レンズを通じて光を照射して記録面からの反射光を検出し、ＲＦアンプ２３によって増幅された出力から光ディスク２０をＤＶＤとＣＤに区別し、その判別結果を制御部２７に出力する。
【００３４】
ＲＦアンプ２３の出力はデコーダ２５に入力され、光ディスク２０がＤＶＤの場合は、入力されたデータをオーディオデコーダ２６より制御部２７に読み込んで、読み込んだ情報からＤＶＤに記録されている制御情報の識別コードを判別することにより、記録された記録方式の種別を判別する。制御部２７は、その記録方式の判別結果に基づいて、オーディオデコーダ２６にデコード方式を設定する。そして、制御部２７によりデコード方式が設定されたオーディオデコーダ２６はＲＦアンプ２３の出力を、マルチチャンネルの場合はダウンミックスし、２チャンネルのステレオ音声信号にデコードする。
【００３５】
オーディオデコーダ２６の出力は、各々のバンドパス回路１１Ｒ，１１Ｌに入力され、制御部２７の後述する制御によりオンに設定されている場合はオーディオデコーダ２６の出力に対し音声信号周波数帯域の中域を低域と高域に比べて高ゲインで出力する。オフに設定されている場合はオーディオデコーダ２６の出力に対し音声信号周波数帯域の低域から高域にかけて平坦な周波数特性で出力する。バンドパス回路１１Ｒ，１１Ｌの出力はマトリクスサラウンド回路１に入力され、制御部２７の後述する制御によりオンに設定されている場合はバンドパス回路の出力に対してサラウンド効果をかけて出力する。オフに設定されている場合はバンドパス回路１１Ｒ，１１Ｌの出力に対してサラウンド効果をかけずに出力する。
【００３６】
図５は制御部２７によるバンドパス回路１１Ｒ，１１Ｌおよびマトリクスサラウンド回路１の制御の処理ルーチンを示している。
制御部２７は、ステップＳ１０１において、前記サーボ兼ディスク判別手段２４から取得した光ディスク判別情報から、光ディスク２０がＤＶＤかどうかを判定する。光ディスク２０がＣＤであった場合には、次いでステップＳ１０２〜ステップＳ１０４のルーチンを実行する。
【００３７】
ステップＳ１０２では、バンドパス回路１１Ｒ，１１Ｌおよびマトリクスサラウンド回路１をオフに切り換える。ステップＳ１０３では表示部２８によってオフ状態を表示する。ステップＳ１０４では操作部２９のオンスイッチが操作されているかどうかを検出し、操作されていない場合にはステップＳ１０２とステップＳ１０３を繰り返す。操作部２９のオンスイッチが操作されているとステップＳ１０４で検出した場合には、ステップＳ１０５〜ステップＳ１０７のルーチンを実行する。
【００３８】
ステップＳ１０５では、バンドパス回路１１Ｒ，１１Ｌおよびマトリクスサラウンド回路１をオンに切り換える。ステップＳ１０６では表示部２８によってオン状態を表示する。ステップＳ１０７では操作部２９のオフスイッチが操作されているかどうかを検出し、操作されていない場合にはステップＳ１０５とステップＳ１０６を繰り返す。操作部２９のオフスイッチが操作されているとステップＳ１０７で検出した場合には、ステップＳ１０２に戻る。
【００３９】
一方、ステップＳ１０１でＤＶＤであると判定された場合には、ステップＳ１０８において前記デコーダ２５が解析したストリームＩＤから記録方式がＡＣ−３かどうかを判別する。
ステップＳ１０８において光ディスク２０の記録方式がＡＣ−３であると判定された場合には、ステップＳ１０５〜ステップＳ１０７のルーチンを実行して、バンドパス回路１１Ｒ，１１Ｌおよびマトリクスサラウンド回路１が自動的にオンに切り換える。
【００４０】
ステップＳ１０８において光ディスク２０の記録方式がＡＣ−３でないと判定された場合には、ステップＳ１０９において記録方式判定部２５が解析したストリームＩＤから記録方式がｄｔｓかどうかを判別する。
ステップＳ１０９において光ディスク２０の記録方式がｄｔｓであると判定された場合には、ステップＳ１０５〜ステップＳ１０７のルーチンを実行して、バンドパス回路１１Ｒ，１１Ｌおよびマトリクスサラウンド回路１が自動的にオンに切り換えられる。
【００４１】
ステップＳ１０９において光ディスク２０の記録方式がｄｔｓでないと判定された場合には、ステップＳ１０２〜ステップＳ１０４のルーチンを実行して、バンドパス回路１１Ｒ，１１Ｌおよびマトリクスサラウンド回路１が自動的にオフに切り換えられる。
このように構成したため、ディスク２０がＤＶＤであり、オーディオデータがＡＣ−３あるいはｄｔｓで記録されていることを判別した場合は、自動的に、バンドパス回路１１Ｒ，１１Ｌおよびマトリクスサラウンド回路１がオンするとともに、表示部２８にＯＮの表示をすることにより、２チャンネルのスピーカによる音響出力であるにもかかわらず、映画館で得られるような輪郭のはっきりした音声と、広がり感のある効果音が得られる。
【００４２】
また、ディスク２０がＣＤ−ＤＡあるいはＶＣＤであるか、ＤＶＤであるが記録方式がＭＰＥＧ２で記録されている場合は、表示部２８にＯＦＦの表示をするととものマトリクスサラウンド回路１およびバンドパス回路１１Ｒ，１１Ｌをオフすることにより、光ディスク２０の音声記録情報をその再生する従来どおりの音質を得ることができる。
【００４３】
また、使用者は表示部２８に表示されるＯＮあるいはＯＦＦの表示にもとづき設定の変更を希望する場合は操作部２９のＯＮスイッチあるいはＯＦＦスイッチを押圧することによりマトリクスサラウンド回路１およびバンドパス回路１１Ｒ，１１Ｌの設定状態を任意に変更することができる。
【００４４】
【発明の効果】
以上のように本発明によれば、音声信号制御装置が２チャンネルの入出力を持ち、音声信号周波数帯域の中域を低域と高域に比べて高ゲインで出力するバンドパスオン状態と低域から高域にかけて周波数特性が平坦なバンドパスオフ状態に切り換えが可能な２個のバンドパス回路と、前記２個のバンドパス回路の出力を入力しサラウンド効果をオン状態とオフ状態に切り換えが可能で２チャンネルの出力を得るサラウンド回路と、前記サラウンド回路と前記バンドパス回路とを連動して同時にオン状態またはオフ状態に切り換える制御部とを設け、前記制御部によりサラウンド状態にしたときは前記バンドパス回路を切り換えて音声信号周波数帯域の中域を低域と高域に比べて高ゲインで出力するように構成したため、簡単な回路構成とステレオの２スピーカをＴＶモニタの両サイドに設置することにより、ステレオ映画ソースにおいては映画館で得られるような輪郭のはっきりした音声と広がり感のある効果音が得られ、かつ、画像の中央で台詞が定位し画像との位置的な一致を実現し、また、音楽ソースにおいては従来どうりの音質が得られる２チャンネルステレオの音声信号制御装置を実現できるものである。
【００４５】
また、記録媒体に記録されたオーディオデータがドルビーＡＣ−３あるいはｄｔｓのマルチチャンネルオーディオデータとして記録されていることを判別した場合は、自動的にサラウンド回路およびバンドパス回路をオンすることにより、２チャンネルのスピーカによる音響出力であるにもかかわらず、何らの操作を行うことなく、映画館で得られるような輪郭のはっきりした音声と、広がり感のある効果音が得られる再生装置を実現できる。
【００４６】
また、ディスクがＣＤ−ＤＡあるいはＶＣＤであるか、ＤＶＤであるが記録方式がＭＰＥＧ２で記録されている場合は、サラウンド回路およびバンドパス回路を、自動的にオフすることにより、音声記録情報をそのまま再生する従来どおりの音質を得ることができる。
【図面の簡単な説明】
【図１】本発明の（実施の形態１）音声信号制御装置の構成図
【図２】同実施の形態のバンドパス回路の周波数特性図
【図３】本発明の（実施の形態２）のスピーカ出力の音響的周波数特性の概念図
【図４】本発明の（実施の形態３）の再生装置の構成図
【図５】同実施の形態の制御部のフローチャート図
【図６】サラウンド回路を備えた従来のオーディオ機器の構成図
【符号の説明】
１    マトリクスサラウンド回路
３    制御部
４    電界効果トランジスタ
７Ｒ，７Ｌ，８Ｒ，８Ｌ，９Ｒ，９Ｌ    増幅器
１０Ｒ，１０Ｌ    スピーカ
１１Ｒ，１１Ｌ    バンドパス回路
１２    第１の帰還回路
１３    第２の帰還回路
１４Ｒ    トランジスタ
２０    光ディスク
２１    スピンドルモータ
２２    光ピックアップ
２３    ＲＦアンプ
２４    サーボ兼ディスク判別手段
２５    デコーダ
２６    オーディオデコーダ
２７    制御部
２８    表示部
２９    操作部
【図１】
0003683131.tif 000002
【図２】
0003683131.tif 000003
【図３】
0003683131.tif 000004
【図４】
0003683131.tif 000005
【図５】
0003683131.tif 000006
【図６】
0003683131.tif 000007